(57)【要約】  本開示は、移動端末と基地局とそれぞれの動作方法とに関する。移動端末は、動作中、他のシステム情報の送信をオンデマンドで要求する状態を判別し、ランダムアクセス手順を実行し、ブロードキャストを介して、オンデマンドで要求された他のシステム情報を含むシステム情報メッセージを受信する回路を備える。ランダムアクセス手順のシステム情報要求メッセージは、他のシステム情報を要求するためのビットパターンの少なくとも一部を有する特定のフォーマットに適合しているこのビットパターンを有する情報要素を含む。そして、ランダムアクセス手順の競合解決メッセージは、ランダムアクセス手順中の衝突を検出するための上記ビットパターンと同じビットパターン又は上記ビットパターンの同じ上記一部を含む。
2021523600.tif 000002
【特許請求の範囲】
【請求項１】
サービングセルを有するよう構成されている少なくとも１つの基地局を備えるワイヤレス通信システムにおいて、最小限システム情報及び他のシステム情報を含むシステム情報の取得を実行するための移動端末であって、
動作中、
他のシステム情報の送信をオンデマンドで要求する状態を判別し、
ランダムアクセスプリアンブル信号を送信することと、ランダムアクセス応答メッセージを受信することと、前記他のシステム情報を求めるシステム情報要求メッセージを送信することと、競合解決メッセージを受信することと、を含むランダムアクセス手順を実行し、
ブロードキャストを介して、オンデマンドで要求された前記他のシステム情報を含むシステム情報メッセージを受信する、
プロセッサ及びトランシーバ
を備え、
前記システム情報要求メッセージは、前記他のシステム情報を要求するためのビットパターンの少なくとも一部を有する特定のフォーマットに適合している前記ビットパターンを有する情報要素を含み、
前記競合解決メッセージは、前記ランダムアクセス手順中の衝突を検出するための前記ビットパターンと同じビットパターン又は前記ビットパターンの同じ前記一部を含む、
移動端末。
【請求項２】
前記情報要素は、前記システム情報要求メッセージ内の最初の情報要素である、且つ／又は
前記情報要素は、前記システム情報要求メッセージ内の唯一の情報要素である、且つ／又は
前記情報要素は、移動端末識別子情報要素ではない、且つ／又は、ランダム値情報要素ではない、且つ／又は
前記特定のフォーマットに適合している前記ビットパターンを有する情報要素は、少なくとも８ビットを含む、
請求項１に記載の移動端末。
【請求項３】
前記特定のフォーマットは、前記情報要素の前記ビットパターンの前記一部について、異なるタイプのシステム情報メッセージを求める要求との対応を規定しており、
前記情報要素の前記ビットパターンの前記一部は８ビットであり、前記８ビットの各々は、異なるタイプのシステム情報メッセージを求める要求に対応しており、
更に、前記特定のフォーマットは、前記８ビットである前記ビットパターンの前記一部が、前記ビットパターンにおける始め又は終わりに位置することを規定しており、
更に、前記特定のフォーマットは、前記ビットパターンの前記一部を除く、前記情報要素の前記ビットパターンにおける残りの全てのビットが、ゼロ値を有することを規定している、
請求項１又は２に記載の移動端末。
【請求項４】
前記移動端末は、前記競合解決メッセージ内のビットパターンに応じて、オンデマンドで要求された前記他のシステム情報を含む前記システム情報メッセージを受信することを開始する、
請求項１乃至３のうちのいずれか１項に記載の移動端末。
【請求項５】
サービングセルを有するよう構成されている少なくとも１つの基地局を備えるワイヤレス通信システムにおいて、最小限システム情報及び他のシステム情報を含むシステム情報の取得を実行するための移動端末であって、
動作中、
他のシステム情報の送信をオンデマンドで要求する状態を判別し、
ランダムアクセスプリアンブル信号を送信することと、ランダムアクセス応答メッセージを受信することと、前記他のシステム情報を求めるシステム情報要求メッセージを送信することと、競合解決メッセージを受信することと、を含むランダムアクセス手順を実行し、
ブロードキャストを介して、オンデマンドで要求された前記他のシステム情報を含むシステム情報メッセージを受信する、
プロセッサ及びトランシーバ
を備え、
前記競合解決メッセージの受信に失敗した場合、前記ランダムアクセス手順を実行することは、
前記最小限システム情報の次の時間インスタンスまで前記ランダムアクセスプリアンブル信号の再送を中断することと、
前記次の時間インスタンスにて、前記最小限システム情報を受信することと、
受信された前記最小限システム情報に基づいて、要求された前記他のシステム情報が、前記ランダムアクセスプリアンブル信号の再送とは無関係に、ブロードキャストを介した送信のためにスケジュールされているかどうかを判定することと、
を含む、
移動端末。
【請求項６】
前記競合解決メッセージの受信の成功／失敗は、
前記競合解決メッセージが、前記他のシステム情報を要求するための特定のフォーマットに適合している前記システム情報要求メッセージに含まれる情報要素で送信されたのと同じビットパターンのみを含むかどうかをチェックすることと、
前記競合解決メッセージが、前記他のシステム情報を求めるオンデマンドの要求に確認応答するために使用される、前記競合解決メッセージの特別なバージョンであるかどうかと、前記競合解決メッセージが、前記システム情報要求メッセージに含まれる情報要素で送信されたのと同じ、ビットパターンの一部のみを含むかどうかと、をチェックすることと、
前記競合解決メッセージの一部が、前記他のシステム情報を要求するための特定のフォーマットに適合している前記システム情報要求メッセージに含まれる情報要素で送信されたのと同じビットパターンを含むかどうかをチェックすることと、
前記競合解決メッセージが、前記他のシステム情報を求めるオンデマンドの要求に確認応答するために使用される、前記競合解決メッセージの特別なバージョンであるかどうかと、前記競合解決メッセージが、前記他のシステム情報を要求するための特定のフォーマットに適合している前記システム情報要求メッセージに含まれる情報要素で送信されたのと同じビットパターンを含むかどうかと、をチェックすることと、
のうちの少なくとも１つによって判定される、
請求項１乃至５のうちのいずれか１項に記載の移動端末。
【請求項７】
前記システム情報要求メッセージは、４０ビットという合計サイズを有する情報要素を含む無線リソース制御（ＲＲＣ）メッセージである、且つ／又は
前記競合解決メッセージは、４８ビットという合計サイズを有する媒体アクセス制御（ＭＡＣ）制御要素（ＣＥ）である、且つ／又は
前記システム情報の取得を実行するために、前記移動端末は、ＲＲＣ＿ＣＯＮＮＥＣＴＥＤ状態、ＲＲＣ＿ＩＤＬＥ状態、及びＲＲＣ＿ＩＮＡＣＴＩＶＥ状態のうちの１つにある、
請求項１乃至６のうちのいずれか１項に記載の移動端末。
【請求項８】
前記他のシステム情報の送信をオンデマンドで要求する状態は、
前記サービングセルにおける電源投入イベント又は前記サービングセルに対するセル選択／再選択イベントを検出することと、
前記サービングセルについてのカバレッジロスイベントから回復することと、
前記他のシステム情報についての有効性タイマが満了したと判定することと、
のうちの少なくとも１つを含む、
請求項１乃至７のうちのいずれか１項に記載の移動端末。
【請求項９】
基地局であって、移動端末が、サービングセルを有するよう構成されている前記基地局と共に、最小限システム情報及び他のシステム情報を含むシステム情報の取得を実行することを可能にするワイヤレス通信システムにおける前記基地局は、
動作中、
ランダムアクセスプリアンブル信号を受信することと、ランダムアクセス応答メッセージを送信することと、他のシステム情報を求めるシステム情報要求メッセージを受信することと、競合解決メッセージを送信することと、を含むランダムアクセス手順を実行し、
ブロードキャストを介して、オンデマンドで要求された前記他のシステム情報を含むシステム情報メッセージを送信する、
プロセッサ及びトランシーバ
を備え、
前記システム情報要求メッセージは、前記他のシステム情報を要求するためのビットパターンの少なくとも一部を有する特定のフォーマットに適合している前記ビットパターンを有する情報要素を含み、
前記競合解決メッセージは、前記ランダムアクセス手順中の衝突を検出するための前記ビットパターンと同じビットパターン又は前記ビットパターンの同じ前記一部を含む、
基地局。
【請求項１０】
前記情報要素は、前記システム情報要求メッセージ内の最初の情報要素である、且つ／又は
前記情報要素は、前記システム情報要求メッセージ内の唯一の情報要素である、且つ／又は
前記情報要素は、移動端末識別子情報要素ではない、且つ／又は、ランダム値情報要素ではない、且つ／又は
前記特定のフォーマットに適合している前記ビットパターンを有する情報要素は、少なくとも８ビットを含む、
請求項９に記載の基地局。
【請求項１１】
前記特定のフォーマットは、前記情報要素の前記ビットパターンにおけるビットのサブセットについて、異なるタイプのシステム情報メッセージを求める要求との対応を規定しており、
前記情報要素の前記ビットパターンにおける前記ビットのサブセットは８ビットであり、前記８ビットの各々は、異なるタイプのシステム情報メッセージを求める要求に対応しており、
更に、前記特定のフォーマットは、前記ビットのサブセットが、前記ビットパターンにおける始め又は終わりに位置することを規定しており、
更に、前記特定のフォーマットは、前記ビットのサブセットを除く、前記情報要素の前記ビットパターンにおける残りの全てのビットが、ゼロ値を有することを規定している、
請求項９又は１０に記載の基地局。
【請求項１２】
前記基地局は、前記競合解決メッセージ内のビットパターンに応じて、オンデマンドで要求された前記他のシステム情報を含む前記システム情報メッセージを送信することを開始する、
請求項９乃至１１のうちのいずれか１項に記載の基地局。
【請求項１３】
サービングセルを有するよう構成されている少なくとも１つの基地局を備えるワイヤレス通信システムにおいて、移動端末によって、最小限システム情報及び他のシステム情報を含むシステム情報の取得を実行するための方法であって、
他のシステム情報の送信をオンデマンドで要求する状態を判別するステップと、
ランダムアクセスプリアンブル信号を送信することと、ランダムアクセス応答メッセージを受信することと、前記他のシステム情報を求めるシステム情報要求メッセージを送信することと、競合解決メッセージを受信することと、を含むランダムアクセス手順を実行するステップと、
ブロードキャストを介して、オンデマンドで要求された前記他のシステム情報を含むシステム情報メッセージを受信するステップと、
を含み、
前記システム情報要求メッセージは、前記他のシステム情報を要求するためのビットパターンの少なくとも一部を有する特定のフォーマットに適合している前記ビットパターンを有する情報要素を含み、
前記競合解決メッセージは、前記ランダムアクセス手順中の衝突を検出するための前記ビットパターンと同じビットパターン又は前記ビットパターンの同じ前記一部を含む、
方法。
【請求項１４】
サービングセルを有するよう構成されている少なくとも１つの基地局を備えるワイヤレス通信システムにおいて、移動端末によって、最小限システム情報及び他のシステム情報を含むシステム情報の取得を実行するための方法であって、
他のシステム情報の送信をオンデマンドで要求する状態を判別するステップと、
ランダムアクセスプリアンブル信号を送信することと、ランダムアクセス応答メッセージを受信することと、前記他のシステム情報を求めるシステム情報要求メッセージを送信することと、競合解決メッセージを受信することと、を含むランダムアクセス手順を実行するステップと、
ブロードキャストを介して、オンデマンドで要求された前記他のシステム情報を含むシステム情報メッセージを受信するステップと、
を含み、
前記競合解決メッセージの受信に失敗した場合、前記ランダムアクセス手順を実行するステップは、
前記最小限システム情報の次の時間インスタンスまで前記ランダムアクセスプリアンブル信号の再送を中断することと、
前記次の時間インスタンスにて、前記最小限システム情報を受信することと、
受信された前記最小限システム情報に基づいて、要求された前記他のシステム情報が、前記ランダムアクセスプリアンブル信号の再送とは無関係に、ブロードキャストを介した送信のためにスケジュールされているかどうかを判定することと、
を含む、
方法。
【請求項１５】
ワイヤレス通信システムにおいて、最小限システム情報及び他のシステム情報を含むシステム情報の取得を、サービングセルを有するよう構成されている基地局と共に移動端末が実行することを可能にするための、前記基地局についての方法であって、
ランダムアクセスプリアンブル信号を受信することと、ランダムアクセス応答メッセージを送信することと、他のシステム情報を求めるシステム情報要求メッセージを受信することと、競合解決メッセージを送信することと、を含むランダムアクセス手順を実行するステップと、
ブロードキャストを介して、オンデマンドで要求された前記他のシステム情報を含むシステム情報メッセージを送信するステップと、
を含み、
前記システム情報要求メッセージは、前記他のシステム情報を要求するためのビットパターンの少なくとも一部を有する特定のフォーマットに適合している前記ビットパターンを有する情報要素を含み、
前記競合解決メッセージは、前記ランダムアクセス手順中の衝突を検出するための前記ビットパターンと同じビットパターン又は前記ビットパターンの同じ前記一部を含む、
方法。
【発明の詳細な説明】
【技術分野】
【０００１】
本開示は、サービングセルを有するよう構成されている少なくとも１つの基地局を備えるワイヤレス通信システムにおいて、システム情報の取得を実行する移動端末に関する。システム情報は、最小限情報及び他のシステム情報を含む。移動端末は、要求メッセージをオンデマンドで基地局に送信する。この要求メッセージは、他のシステム情報を送信するように基地局に要求する。
【背景技術】
【０００２】
現在、第３世代パートナーシッププロジェクト（３ＧＰＰ：the 3rd Generation Partnership Project）は、第５世代（５Ｇ）又は新（しい）無線（ＮＲ：new radio）とも称される次世代セルラー技術についての技術仕様の次のリリース（リリース１５）に取り組んでいる。
【０００３】
３ＧＰＰの技術仕様グループ（ＴＳＧ：Technical Specification Group）の無線アクセスネットワーク（ＲＡＮ：Radio Access network）会合＃７１（２０１６年３月、Gothenburg）において、ＲＡＮ１、ＲＡＮ２、ＲＡＮ３、及びＲＡＮ４が関与する、５Ｇの最初の検討項目「Study on New Radio Access Technology」が承認され、この検討が、５Ｇの最初の標準規格を規定するリリース１５の作業項目（ＷＩ：work item）の土台となっている。
【０００４】
５Ｇ新無線（ＮＲ）の１つの目的は、「３ＧＰＰ  ＴＳＧ  ＲＡＮ  ＴＲ  ３８．９１３  ｖ１４．１．０,“Study on Scenarios and Requirements for Next Generation Access Technologies”,２０１６年１２月」（www.3gpp.orgにて入手可能である）において規定されている全ての利用シナリオ、要件、及び配置シナリオに対処する単一の技術的枠組みを提供することである。これらは、少なくとも、高度モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む。
【０００５】
例えば、ｅＭＢＢの配置シナリオには、屋内のホットスポット、密集都市部、郊外、都市部、及び高速が含まれ得る。ＵＲＬＬＣの配置シナリオには、産業制御システム、モバイル健康管理（遠隔モニタリング、診断、及び治療）、車両のリアルタイム制御、スマートグリッドの広域監視・制御システムが含まれ得る。ｍＭＴＣには、スマートウェアラブルやセンサネットワーク等、遅延の影響が小さいデータ伝送による多数の装置を使用するシナリオが含まれ得る。
【０００６】
もう１つの目的は、将来のユースケース／展開シナリオを予見する前方互換性である。ロングタームエボリューション（ＬＴＥ：Long Term Evolution）に対する後方互換性は不要であり、これは、完全に新しいシステム設計及び／又は新規な機能の導入を容易にする。
【発明の概要】
【０００７】
非限定的かつ例示的な一実施形態は、移動端末とサービングセルを有する基地局とを備えるワイヤレス通信システムにおいて、システム情報取得を改善することを可能にする。非限定的かつ例示的な別の実施形態は、オンデマンドの他のシステム情報の取得に対する（制御）シグナリングオーバーヘッドを低減しようとする。また、更なる例示的な実施形態は、オンデマンドの他のシステム情報の取得におけるフレキシビリティを向上させようとする。
【０００８】
一実施形態において、ここに開示されている技術は、サービングセルを有するよう構成されている少なくとも１つの基地局を備えるワイヤレス通信システムにおいて、システム情報の取得を実行するための移動端末を特徴とする。システム情報は、最小限システム情報及び他のシステム情報を含む。
【０００９】
移動端末は、プロセッサ及びトランシーバを備える。これにより、移動端末は、他のシステム情報の送信をオンデマンドで要求する状態を判別し、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行し、ブロードキャストを介して、オンデマンドで要求された他のシステム情報を含むシステム情報メッセージを受信する、よう構成されている。
【００１０】
システム情報要求メッセージ（ｍｓｇ３）は、他のシステム情報を要求するためのビットパターンの少なくとも一部を有する特定のフォーマットに適合しているこのビットパターンを有する情報要素を含み、競合解決メッセージ（ｍｓｇ４）は、ランダムアクセス手順中の衝突を検出するための上記ビットパターンと同じビットパターン又は上記ビットパターンの同じ上記一部を含む。
【００１１】
なお、一般的な実施形態又は特定の実施形態は、システム、方法、集積回路、コンピュータプログラム、記憶媒体、又はこれらの任意の選択的な組み合わせとして、実現可能であることに留意されたい。
【００１２】
開示されている実施形態の更なる恩恵及び利点は、本明細書及び図面から明らかになるであろう。これらの恩恵及び／又は利点は、本明細書及び図面の様々な実施形態及び特徴によって個別に得ることができる。ただし、このような恩恵及び／又は利点のうちの１つ以上を得るために、これらの特徴全てを設ける必要はない。
【図面の簡単な説明】
【００１３】
【図１】ワイヤレス通信システムにおける移動端末及び基地局のブロック図。
【図２】３ＧＰＰ  ＮＲ展開シナリオにおける第１の実施形態の例示的な実施態様に従ったシステム情報取得のシーケンス図。
【図３】３ＧＰＰ  ＮＲ展開シナリオにおける第１の実施形態の例示的な実施態様における他のシステム情報についての例示的な要求及び応答メッセージ構成を示す図。
【図４】３ＧＰＰ  ＮＲ展開シナリオにおける第１の実施形態の例示的な実施態様における他のシステム情報についての別の例示的な要求及び応答メッセージ構成を示す図。
【図５】３ＧＰＰ  ＮＲ展開シナリオにおける第１の実施形態の例示的な実施態様に従ったシステム情報取得のシーケンス図。
【図６】３ＧＰＰ  ＮＲ展開シナリオにおける第２の側面の第１の例において、システム情報取得を実行する２つの移動端末（すなわち、ＵＥ１及びＵＥ２）のタイミング図。
【図７】３ＧＰＰ  ＮＲ展開シナリオにおける第２の側面の第２の例において、システム情報取得を実行する２つの移動端末（すなわち、ＵＥ１及びＵＥ２）のタイミング図。
【図８】３ＧＰＰ  ＮＲ展開シナリオにおける第２の側面の第３の例において、システム情報取得を実行する２つの移動端末（すなわち、ＵＥ１及びＵＥ２）のタイミング図。
【発明を実施するための形態】
【００１４】
ＮＲ検討項目についての技術報告書のうちの１つ（３ＧＰＰ  ＴＳＧ  ＴＲ  ３８．８０１  ｖ２．０．０，“Study on New Radio Access Technology; Radio Access Architecture and Interfaces”，２０１７年３月）においてまとめられているように、物理層の基本的な信号波形は、直交周波数分割多重（ＯＦＤＭ：Orthogonal Frequency Division Multiplexing）に基づく。ダウンリンク及びアップリンクの両方において、サイクリックプレフィックスを使用するＯＦＤＭ（ＣＰ−ＯＦＤＭ）をベースとする波形がサポートされる。少なくとも、４０ＧＨｚまでのｅＭＢＢのアップリンクでは、ＣＰ−ＯＦＤＭ波形の補助として、離散フーリエ変換（ＤＦＴ：Discrete Fourier Transformation）拡散ＯＦＤＭ（ＤＦＴ−Ｓ−ＯＦＤＭ）をベースとする波形もサポートされる。
【００１５】
ＮＲにおける設計目標のうちの１つは、もしあれば進行中のトラフィックの中断を最小限に抑えながら、同時にユーザ機器の電力消費量を増加させることなく、ユーザのモビリティを強化することである。ＲＡＮ＃７８では、ＲＡＮ２は、Ｒｅｌ−１５の時間フレーム内でＬＴＥ及びＮＲに対して０ｍｓハンドオーバ中断時間に関するＩＭＴ−２０２０要件にどのように対処できるかを調査する役割を担った。第１のステップにおいて、ＬＴＥにおけるハンドオーバ手順が、ＮＲにおけるベースライン設計として採用された。３ＧＰＰワーキンググループでは、ＮＲモビリティ強化のためにどのような機能を追加又は変更する必要があるかについて、継続的な議論が行われている。
【００１６】
用語「ダウンリンク」は、上位ノードから下位ノードへの通信（例えば、基地局から中継ノードへの又はＵＥへの通信、中継ノードからＵＥへの通信等）を意味する。用語「アップリンク」は、下位ノードから上位ノードへの通信（例えば、ＵＥから中継ノードへの又は基地局への通信、中継ノードから基地局への通信等）を意味する。用語「サイドリンク」は、同じレベルにあるノード間の通信（例えば、２つのＵＥ間の通信、若しくは２つの中継ノード間の通信、又は２つの基地局間の通信）を意味する。
【００１７】
３ＧＰＰ  ＮＲでは、システム情報の取得は、例えば、ＬＴＥ標準規格の以前のバージョンから知られているメカニズムよりも大幅に改善されている。例えば、３ＧＰＰ  ＴＳ  ３８．３００  Ｖ１５．１．０：「“NR; NR and NG-RAN Overall Description”，２０１８年３月」の第７．３章において、システム情報の処理が論じられている。以下において簡単に説明する。
【００１８】
（概要）
３ＧＰＰ  ＮＲの標準化によれば、システム情報（ＳＩ：System Information）は、最小限ＳＩと他のＳＩとに分けられる。最小限ＳＩは、周期的にブロードキャストされ、初期アクセスに必要な基本情報と、周期的にブロードキャストされる又はオンデマンドで提供される任意の他のＳＩを取得するための情報、すなわち、スケジューリング情報と、を含む。他のＳＩは、最小限ＳＩにおいてブロードキャストされない全てを包含し、ネットワークによってトリガされて又はＵＥからの要求に応じて、ブロードキャストされ得る又は専用の方法で提供され得る。
【００１９】
ＵＥによるキャンプのために考慮されるセル／周波数について、ＵＥは、別のセル／周波数レイヤからそのセル／周波数の最小限ＳＩの内容を取得することを要求されない。これは、ＵＥが、以前に在圏していた１つ以上のセルからの記憶されているＳＩを適用する場合を除外しない。ＵＥが、セルの最小限ＳＩの完全な内容を、（そのセルから受信することによって、又は、以前のセルからの有効な記憶されているＳＩから）判別できない場合、ＵＥは、そのセルを禁止セルとみなす。帯域幅適応（ＢＡ：Bandwidth Adaptation）の場合、ＵＥは、アクティブな帯域幅部分（ＢＷＰ：Bandwidth Part）上でＳＩを取得するだけである。
【００２０】
（スケジューリング）
最小限ＳＩは、異なるメッセージ（MasterInformationBlock及びSystemInformationBlockType1）を使用して、２つの異なるダウンリンクチャネルを介して送信される。残存最小限ＳＩ（ＲＭＳＩ：Remaining Minimum SI）という用語は、SystemInformationBlockType1（ＳＩＢ１）を指すためにも使用される。他のＳＩは、SystemInformationBlockType2（ＳＩＢ２）以上において送信される。
【００２１】
ＲＲＣ＿ＩＤＬＥ状態及びＲＲＣ＿ＩＮＡＣＴＩＶＥ状態にあるＵＥの場合、要求は、ランダムアクセス手順をトリガし、要求されたＳＩがＰＲＡＣＨリソースのサブセットに関連付けられない限り、ＭＳＧ３を介して伝達されるが、この場合において、ＭＳＧ１が使用されてもよい。ＭＳＧ１が使用される場合、要求の最小粒度は、１つのＳＩメッセージ（すなわち、ＳＩＢのセット）であり、１つのＲＡＣＨプリアンブル及び／又はＰＲＡＣＨリソースを使用して、複数のＳＩメッセージを要求することができ、ｇＮＢは、ＭＳＧ２において要求に確認応答する。ＭＳＧ３が使用される場合、ｇＮＢは、ＭＳＧ４において要求に確認応答する。
【００２２】
他のＳＩは、設定可能な周期で、ある持続時間の間、ブロードキャストされ得る。他のＳＩはまた、ＲＲＣ＿ＩＤＬＥ／ＲＲＣ＿ＩＮＡＣＴＩＶＥ状態にあるＵＥによって要求されたときにブロードキャストされ得る。
【００２３】
ＵＥがキャンプすることを許可される各セルは、最小限ＳＩの少なくとも一部の内容をブロードキャストするのに対し、ＵＥがキャンプできず、最小限ＳＩをブロードキャストしないセルが、システムにおいて存在する可能性がある。
【００２４】
（ＳＩ変更）
システム情報の変更は、特定の無線フレームでのみ発生する、すなわち、変更期間の概念が使用される。システム情報は、そのスケジューリングによって規定されるように、変更期間内に同じ内容で複数回送信され得る。変更期間は、システム情報によって設定される。
【００２５】
ネットワークが、システム情報（の一部）を変更したとき、これは、まず、この変更をＵＥに通知する。すなわち、これは、変更期間を通じて行われる可能性がある。次の変更期間において、ネットワークは、更新されているシステム情報を送信する。変更通知を受信すると、ＵＥは、次の変更期間の始めから、新しいシステム情報を取得する。ＵＥは、ＵＥが新しいシステム情報を取得するまで、以前に取得したシステム情報を適用する。
【００２６】
ページングは、ＲＲＣ＿ＩＤＬＥ状態、ＲＲＣ＿ＩＮＡＣＴＩＶＥ状態、及びＲＲＣ＿ＣＯＮＮＥＣＴＥＤ状態にあるＵＥにシステム情報変更を通知するために使用される。ＵＥが、このようなページングメッセージを受信すると、ＵＥは、（ＥＴＷＳ／ＣＭＡＳ用以外の）システム情報が、次の変更期間境界にて変わることを認識する。
【００２７】
ＲＡＮ＃７９の開発努力を反映している３ＧＰＰ  ＮＲ技術規格ＴＳ  ３８．３００に加えて、システム情報の処理は、ＴＳＧ無線アクセスネットワーク（ＴＳＧ−ＲＡＮ）ワークグループ２（ＷＧ２）によってより最近に議論されており、これが、以下において簡潔にまとめられる。
【００２８】
（ブロードキャストによって提供されるＳＩ）
他のＳＩについてのスケジューリング情報は、他のＳＩが周期的にブロードキャストされるか又はオンデマンドで提供されるかにかかわらず、最小限ＳＩにおける、ＳＩＢタイプ、有効性情報、周期、及びＳＩウィンドウ情報を含む。
−他のＳＩについてのスケジューリング情報は、ＳＩＢ１において提供される。
−ＳＩＢタイプ：ブロードキャスト又はオンデマンド
【００２９】
ＳＩＢがブロードキャストされないことを最小限ＳＩが示す場合、ＵＥは、このＳＩＢがＳＩ周期ごとにそのＳＩウィンドウ内で周期的にブロードキャストされるとは想定しない。したがって、ＵＥは、このＳＩＢを受信するためにＳＩ要求を送信し得る。ＳＩ要求を送信した後、要求したＳＩＢを受信するために、ＵＥは、そのＳＩＢの１つ以上のＳＩ期間において、要求したＳＩＢのＳＩウィンドウをモニタリングする。
【００３０】
（Ｍｓｇ３ベースのＳＩ要求方法）
ＵＥは、Ｍｓｇ４の受信に基づいて、Ｍｓｇ３の成功を判定する。Ｍｓｇ４の内容のどのような詳細がＭｓｇ３の成功を確認するために使用されるかについては、更なる検討として（ＦＦＳ）残されている。これは、ＣＰによって初期に議論される。
【００３１】
Ｍｓｇ３ベースの方法を使用するＳＩ要求についての１つ以上のプリアンブルは、予約されない。更に、ＲＲＣシグナリングが、Ｍｓｇ３におけるＳＩ要求に使用される。また、要求されたＳＩ／ＳＩＢの詳細をＲＲＣシグナリングがどのように示すかについては、ＡＳＮ．１による更なる検討として（ＦＦＳ）残されている。Ｍｓｇ２において受信された一時的なＣ−ＲＮＴＩが、Ｍｓｇ４受信に使用される。
【００３２】
（オンデマンドＳＩ要求）
ＵＥ  ＩＤはＭＳＧ３に含まれない。競合解決のために、ＵＥ  ＭＡＣは、他のケースと同じように実行し、送信された要求に対して競合解決ＭＡＣ  ＣＥをチェックする（ＭＡＣにおける共通ＲＡＣＨ手順）。
【００３３】
SystemInformationBlockType1（ＳＩＢ１）内の１つのインジケータが、ＳＩメッセージが現在ブロードキャストされているか否かを示す。このインジケーションは、変更期間の終わりまで有効である。ＵＥは、これが、オンデマンドＳＩの一時的なブロードキャストであるか又は周期的なブロードキャストＳＩであるかを推測することができない。
【００３４】
（ＳＩ変更）
ＬＴＥと同様に、ＳＩ変更／更新は、ページングを通じてＵＥに示される。ＲＲＣ＿ＩＤＬＥ状態及びＲＲＣ＿ＩＮＡＣＴＩＶＥ状態にあるＵＥは、ＤＲＸサイクルごとに、それ自体のページングオケージョンにおいてＳＩ更新通知をモニタリングする。ＲＲＣ＿ＣＯＮＮＥＣＴＥＤ状態にあるＵＥは、任意のページングオケージョンにおいてＳＩ更新通知をモニタリングする（接続状態においてページングをモニタリングするための共通サーチスペースが、ＵＥに提供される場合）。
【００３５】
ＮＲでは、ＳＩ更新処理のための変更期間のＬＴＥ概念が採用される。ページングメッセージに含まれるＳＩ更新インジケーションがサポートされる（これは、ＤＣＩ設計がＳＩ更新インジケーションとページングメッセージのスケジューリングとを並列に可能にする場合に、再訪することができる）。ＤＣＩに含まれるＳＩ更新インジケーションがサポートされる。
【００３６】
ＵＥが、ページングにおいてＳＩ更新インジケーションを受信した場合、ＵＥは、（更新されているＳＩがオンデマンドＳＩであったとしても、）ＮＷが、更新されているＳＩをブロードキャストすると想定して、次の変更期間境界にて、更新されているＳＩを取得する。
【００３７】
（本開示）
以上を踏まえて、システム情報取得を更に改善することができるという理解の下、本開示が考えられた。
【００３８】
具体的には、オンデマンドシステム情報を取得するために３ＧＰＰ  ＮＲにおいてランダムアクセス手順を利用することは、ワイヤレス通信システムに対する（制御）シグナリングオーバーヘッドに関する欠点と共に、いくつかの利点を有する。この機能から生じる欠点は、本開示の焦点にある。
【００３９】
一方では、ランダムアクセス手順は、移動端末が基地局と共に直ちに（制御）情報をシグナリングすることを開始することを可能にする、よく理解されているメカニズムである。具体的には、移動端末が、ＲＲＣ  ＣＯＮＮＥＣＴＥＤ状態にあるか、ＲＲＣ＿ＩＤＬＥ状態にあるか、又はＲＲＣ＿ＩＮＡＣＴＩＶＥ状態にあるかにかかわらず、移動端末は、ランダムアクセス手順に関与することができる。換言すれば、オンデマンドシステム情報を取得するためのランダムアクセス手順を、電源投入直後に利用することができる。
【００４０】
他方では、ランダムアクセス手順は、かなりの（制御）シグナリングオーバーヘッドをもたらす。以下において更に詳細に説明されるように、ランダムアクセス手順（すなわち、競合ベースのランダムアクセス手順）は、４つのメッセージ（以下では、ｍｓｇ１、ｍｓｇ２、ｍｓｇ３、及びｍｓｇ４）のシーケンスを含むことがよく理解されている。４つのメッセージのこのシーケンスは、移動端末と基地局との間の信頼できるシグナリングを可能にするように設計されているが、その引き換えとして、無視できない（制御）シグナリングオーバーヘッドが生じる。
【００４１】
これらの欠点を認識して、本開示は、ワイヤレス通信システムにおけるシステム情報取得を改善しようとする。
【００４２】
非限定的かつ例示的な実施形態は、ワイヤレス通信システムにおいて、特に、異なる移動端末のシステム情報取得の試行間で衝突が発生する状況において、ランダムアクセス手順から生じる（制御）シグナリングオーバーヘッドを低減することを可能にする。特に、本開示は、システム情報取得の失敗した（すなわち、競合する）試行によってトリガされる不要な再送を回避しようとする。
【００４３】
本開示によって提供される利点の包括的な説明のために、２つの異なるシナリオが、以下において更に詳細に説明される。
【００４４】
第１のシナリオにおいて、（制御）シグナリングオーバーヘッドの原因、すなわち、ランダムアクセス手順における衝突が発生したという理解が、取り除かれるということに重点が置かれる。このために、ランダムアクセス手順は、システム情報を取得するときに、どのような衝突であるかについての異なる理解を想定する。それによって、ランダムアクセス手順における競合解決メカニズムによって規定されるような再送を通常もたらすであろう追加の（制御）シグナリングが回避される。
【００４５】
第２のシナリオにおいて、（制御）シグナリングオーバーヘッドをもたらす結果、すなわち、競合解決メカニズムによって規定されるような再送が、ワイヤレス通信システムの機能能力に影響を及ぼすことなく、システム情報取得のために取り除かれ得るということに重点が置かれる。このために、ランダムアクセス手順における競合解決メカニズムを呼び出す必要がない特定の状態が定義され、したがって、この場合も、追加の（制御）シグナリングが回避される。
【００４６】
換言すれば、本開示の２つの異なるシナリオは、ワイヤレス通信システムにおいて最終的に必要でない限り、両方とも、追加の（制御）シグナリングを回避するという共通の技術的課題を解決するという点で、因果関係によってリンクされる。したがって、ランダムアクセス手順における競合解決メカニズムから生じる（制御）シグナリングオーバーヘッドが低減される。
【００４７】
ランダムアクセス手順（より具体的には、競合ベースのランダムアクセス手順）は、以下において簡潔に説明される４つのステップを含む。
【００４８】
第１のステップにおいて、ランダムアクセスプリアンブル信号、すなわち、ｍｓｇ１（略して、プリアンブル）が、移動端末によって基地局に送信される。プリアンブルは、全ての利用可能なプリアンブルから、又は、利用可能なプリアンブルの特定のサブセットから、移動端末によってランダムに選択される、且つ／又は、全ての利用可能な又は特に選択された物理ランダムアクセスチャネル（ＰＲＡＣＨ）リソース上で送信される。
【００４９】
利用可能なプリアンブル及び／又はＰＲＡＣＨリソース（特定の時間及びスペクトル周波数におけるリソース）の数に対する制限に起因して、且つ、移動端末がランダムアクセス手順を自律的に開始することに起因して、２つの異なる移動端末からのプリアンブル送信の間の競合を回避することができないことがある。換言すれば、ワイヤレス通信システムは、２つの異なる移動端末が同じＰＲＡＣＨリソース上で同じプリアンブルを送信している状況を防止することができない。
【００５０】
更に、更に重要なことに、基地局は、そのような競合送信が、２つの異なる移動端末が同じＰＲＡＣＨリソース上で同じプリアンブルを送信することから生じるので、そのような競合送信を区別することができない。したがって、基地局は、そのような競合送信を発見するために外部知識を必要とする。
【００５１】
第２のステップにおいて、ランダムアクセス応答メッセージ、すなわち、ｍｓｇ２（略して、応答）が、基地局によって移動端末に送信される。応答は、概して、例えば、移動端末のアップリンク設定に適用されるタイミングアドバンス等の、接続確立のためのパラメータと、移動端末がアップリンクにおいて後続のメッセージを送信することを許可するスケジューリンググラントと、を含む。
【００５２】
３番目のメッセージでは、専用メッセージ、すなわち、ｍｓｇ３が、移動端末によって、スケジューリンググラントを使用して、基地局に送信される。簡潔にするために、システム情報要求メッセージ、すなわち、（特定の）オンデマンドシステム情報（例えば、（特定の）オンデマンドシステム情報メッセージ）の送信を求める要求を移動端末が基地局にシグナリングする専用の役割を果たすメッセージ、についてのみ、以下において言及する。
【００５３】
例示的な実施態様において、システム情報要求メッセージは、（特定の）オンデマンドシステム情報メッセージを取得するための要求（例えば、システム情報ブロックタイプ４−６を含むオンデマンドで送信されるメッセージの要求）を含んでもよい。概して、システム情報要求メッセージは、無線リソース制御（ＲＲＣ）システム情報要求メッセージのように、ＲＲＣ層によって指定される特定のフォーマットに従う。
【００５４】
ステップ１において競合送信を生じさせた２つの異なる移動端末は、ステップ２において同じ応答を受信するので、これらは両方とも、示されたスケジューリンググラントを使用して、専用メッセージ、すなわち、ｍｓｇ３を送信する。したがって、これら２つの専用メッセージも、競合送信として、すなわち、時間及びスペクトル周波数において競合又はオーバーラップするメッセージとして、基地局によって受信され、これら専用メッセージのうちの１つのみ（もしあれば）が、基地局によって成功裏に復号され得る。
【００５５】
更に重要なことに、特定のタイミング（例えば、特定の番号を有する無線フレーム及び／又はサブフレーム中）において、ステップ１において競合送信を生じさせる２つの異なる移動端末が、両方とも、同じオンデマンドシステム情報メッセージを取得するための要求をｍｓｇ３として送信している可能性が高いことが見いだされた。したがって、同じ又は異なるオンデマンドシステム情報メッセージを要求する２つの競合又はオーバーラップするシステム情報要求メッセージ送信を基地局が受信する状況があり得る。
【００５６】
再度より重要なことに、基地局は、信号が強い方の移動端末からのシステム情報要求メッセージのうちの１つを認識することができるだけである。
【００５７】
４番目のメッセージにおいて、競合解決メッセージ、すなわち、ｍｓｇ４が、基地局によって１つ以上の移動端末に送信される。このメッセージは、ｍｓｇ３において送信された専用メッセージにおいて示された要求に基地局が応じる意図があるか否かを移動端末が検出できる状況に移動端末を置くように設計されている。換言すれば、このｍｓｇ４は、ｍｓｇ３、又は、同じｍｓｇ３を生成した移動端末、を一意に参照する情報を含み、このため、競合送信を伴う状況を解決する目的に役立つことができる。
【００５８】
とりわけ、競合送信を伴う状況を発見し、したがって、そのような状況を解決する移動端末の能力は、専用メッセージ、すなわち、ｍｓｇ３において送信される情報に依存する。特に、この能力は、ｍｓｇ３が、全ての移動端末の間で一意である情報を追加的に又は唯一含むか否かという問題に関連する。
【００５９】
従来、このｍｓｇ３は、例えば、ＲＲＣ接続要求のコンテキストにおいて、一意なランダム値（すなわち、ランダム値情報要素）を含むようにフォーマット化されている。この場合、この一意なランダム値は、２つのｍｓｇ３が、ｍｓｇ２からの同じスケジューリンググラントを利用する２つの異なる移動端末から生じたとしても、２つのｍｓｇ３が決して同じではない（すなわち、一意である）ことを保証する。
【００６０】
次いで、基地局は、ｍｓｇ３からの一意な情報をコピーアンドペースト（又はエコー）することによって、競合解決メッセージを生成し、それによって、ｍｓｇ３として送信された専用メッセージにおいて示された移動端末の要求を移動端末が行うことに成功したかどうかを移動端末が発見することを可能にする。
【００６１】
移動端末が、ｍｓｇ３を用いて送信した一意な情報を、ｍｓｇ４において発見した場合にのみ、移動端末は、ｍｓｇ３が基地局に成功裏に送信されたと結論付けることができる。移動端末が失敗した場合、ランダムアクセス手順は、移動端末が、ランダムアクセスプリアンブル信号、すなわち、ｍｓｇ１の再送をもって再度開始することを規定している。これによって、競合送信を伴う状況が解決される。
【００６２】
ここで、本開示のコンテキストにおいて、競合解決は、システム情報取得のコンテキストにおいて必ずしも好ましいとは限らないことが認識される。具体的には、移動端末が、失敗した競合解決の後に、ランダムアクセスプリアンブル信号、すなわち、ｍｓｇ１の再送をもって再度開始することが不要である状況がある。換言すれば、状況によっては、ランダムアクセス手順における競合解決から生じる（制御）シグナリングオーバーヘッドを回避することができる。
【００６３】
上述したように、システム情報取得のコンテキストにおいて、２つの異なる移動端末が、ｍｓｇ３を介して、同じオンデマンドシステム情報メッセージを要求している状況がある。そして、このような状況では、移動端末が、自身（又はこれら２つの異なる移動端末のうちの他方）がシステム情報要求メッセージにおいて示されたその要求を成功裏に行ったかどうか、又は、競合送信の結果として、同じシステム情報要求メッセージを再送することが規定されているかどうか、を認識することは決定的ではない。
【００６４】
ｍｓｇ４をもって応答する基地局が、所望のシステム情報メッセージを送信するための要求を受信したことが保証されると直ちに、これら２つの異なる移動端末の両方の要求が満たされる。
【００６５】
換言すれば、原因（すなわち、ランダムアクセス手順における衝突が発生したという理解）も、結果（すなわち、競合解決メカニズムによって規定されるような再送）も、結果として生じる（制御）信号オーバーヘッドを正当化しない。むしろ、基地局が、これら２つの異なる移動端末の両方の要求に応じると直ちに、ランダムアクセス手順の競合解決メカニズムを適用することはもはや不要である。
【００６６】
（第１のシナリオ）
図１は、移動端末１１０（ユーザ機器、ＵＥとも呼ばれる）及び基地局１６０（ｇノードＢ、ｇＮＢとも呼ばれる）を含むワイヤレス通信システムのブロック図を示している。このブロック図は、図２に示されるメカニズム、すなわち、（制御）シグナリングオーバーヘッドの原因が取り除かれる第１のシナリオ、を説明するために使用される。
【００６７】
このブロック図のワイヤレス通信システムは、移動端末１１０が、システム情報、特に、サービングセルを有する基地局１６０からオンデマンドでブロードキャストされる他のシステム情報（これは最小限システム情報ではない）を取得することを可能にする。したがって、移動端末１１０及び基地局１６０の両方が、システム情報取得において能動的役割を果たす。
【００６８】
概して、移動端末１１０のプロセッサ１３０が、他のシステム情報の送信を求める要求を有し、したがって、基地局１６０に対して他のシステム情報の送信をオンデマンドで要求したいと決定するとき（図２におけるステップＳ０１を参照）、複数の状態が存在する。
【００６９】
例えば、このような状態は、プロセッサ１３０が、サービングセルにおける電源投入イベント又はサービングセルに対するセル選択／再選択イベントを検出したときに、発生する。このような状態は、プロセッサ１１０が、サービングセルについてのカバレッジロスイベントから回復しているときにも、発生し得る。更に、このような状態は、プロセッサ１３０が、他のシステム情報についての有効性タイマがサービングセルにおいて満了したと判定したときにも、発生し得る。これらの例示的な状態のうちの任意の１つにおいて、プロセッサ１３０は、他のシステム情報の有効なコピーを有しない。
【００７０】
プロセッサ１３０が、他のシステム情報の送信をオンデマンドで要求する状態を判別した場合、プロセッサ１３０は、移動端末１１０のトランシーバ１２０がランダムアクセス手順を実行すること（図２におけるステップＳ０２を参照）に進める。
【００７１】
ランダムアクセス手順において、トランシーバ１２０は、まず、ランダムアクセスプリアンブル信号（図２におけるＳ０２のｍｓｇ１を参照）を基地局１６０に送信する。次いで、トランシーバ１２０は、基地局１６０からランダムアクセス応答メッセージ（図２におけるＳ０２のｍｓｇ２を参照）を受信する。その後、トランシーバ１２０は、他のシステム情報を求めるシステム情報要求メッセージ（図２におけるＳ０２のｍｓｇ３を参照）を基地局１６０に送信する。最後に、トランシーバ１２０は、基地局１６０から競合解決メッセージ（図２におけるＳ０２のｍｓｇ４を参照）を受信する。
【００７２】
移動端末１１０が、基地局１６０に対して、他のシステム情報を求める要求を成功裏に行った場合、移動端末１１０は、トランシーバ１２０が、ブロードキャストを介して、オンデマンドで要求された他のシステム情報を含むシステム情報メッセージを受信すること（図２におけるステップＳ０３を参照）に進める。
【００７３】
移動端末１１０が、基地局１６０に対して、他のシステム情報を求める要求を成功裏に行ったかどうかを判定するために、移動端末１１０は、以下の２つの条件が満たされているかどうかを判定する。
１）システム情報要求メッセージ（図２におけるＳ０２のｍｓｇ３を参照）が、他のシステム情報を要求するためのビットパターンの少なくとも一部を有する特定のフォーマットに適合している上記ビットパターンを有する情報要素を含むこと、及び
２）競合解決メッセージ（図２におけるＳ０２のｍｓｇ４を参照）が、ランダムアクセス手順中の衝突を検出するための上記ビットパターンと同じビットパターン又は上記ビットパターンの同じ上記一部を含むこと。
【００７４】
これら２つの条件のうちの１番目の条件は、移動端末１１０が、基地局１６０に対して、他のシステム情報を求める一般的に理解されている要求を行うことを保証する。この目的のために、要求は、特定のビットパターンにおける情報要素（例えばＲＲＣメッセージの）において運ばれる。重要なことに、ビットパターンは、特定のフォーマット（例えば、標準化されたフォーマット）に適合している。特定のフォーマットは、ビットパターンの少なくとも一部が、他のシステム情報を要求するために使用されることを規定している。これによって、特定のフォーマットは、基地局１６０において、要求された他のシステム情報を明確に識別することを可能にする。
【００７５】
これら２つの条件のうちの２番目の条件は、基地局１６０に対する他のシステム情報を求める要求が成功裏に行われたかどうかが、移動端末１１０に通知されることを保証する。この目的のために、競合解決メッセージは、他のシステム情報を要求するための特定のフォーマットによって規定されている同じビットパターン（全体として）又はビットパターンの少なくとも同じ一部を含む。重要なことに、同じビットパターン又はビットパターンの同じ一部が競合解決メッセージに含まれる場合、移動端末１１０は、ランダムアクセス手順中の衝突（より良くは、衝突がないこと）を検出することができる。
【００７６】
とりわけ、これら２つの条件により、衝突検出は、特定のフォーマットによって規定されているビットパターン又はビットパターンの一部に基づいて、行うことができる。他のシステム情報を求める全ての要求は、これらが２つの異なる移動端末から生じる場合であっても、同じ特定のフォーマットに適合している必要があるので、衝突検出は、他のシステム情報を求める同じ要求に対する２つの異なる移動端末からの競合送信の場合にも要求の成功を想定する。更に重要なことに、特定のフォーマットが、衝突検出のためのビットパターンの少なくとも一部を規定していることに起因して、（制御）シグナリングオーバーヘッドが有利に低減される。
【００７７】
これら２つの条件が、図３及び図４に示されている詳細な実施態様において例示される。
【００７８】
図３及び図４は、最上部において、他のシステム情報を要求するための例示的なビットパターン及びそれらの特定のフォーマットを示している。これら２つの図のうちの１番目の図は、ビットパターンの一部が他のシステム情報を要求するために使用されることを特定のフォーマットが規定している実施態様を詳記している。また、これら２つの図のうちの２番目の図は、ビットパターン（全体として）が他のシステム情報を要求するために使用されることを特定のフォーマットが規定している実施態様を詳記している。
【００７９】
具体的には、ビットパターンの一部及びビットパターン（全体として）の両方について、特定のフォーマットは、異なるタイプのシステム情報メッセージ（ＳＩ  ｍｓｇ．２〜ＳＩ  ｍｓｇ．９と略される）を求める要求との対応を規定している。例えば、ＳＩ  ｍｓｇ．３は、同じシステム情報メッセージの一部として、タイプ４−６のシステム情報ブロックを送信する要求を示すことができる。両方の実施態様において、ビットパターンの一部及びビットパターンの両方は８ビットであり、８ビットの各１ビットは、異なるタイプのシステム情報メッセージを求める要求に対応している（例えば、２番目のビットは、ＳＩ  ｍｓｇ．３に対応するように示されており、４番目のビットは、ＳＩ  ｍｓｇ．５に対応するように示されている）。
【００８０】
これら２つの図のうちの１番目の図に関して、特定のフォーマットは、他のシステム情報のメッセージを要求するためのビットパターンの一部（すなわち、８ビット）が、ビットパターン（すなわち、合計４０ビット）の最初（始め）に位置することを規定していることが示されている。これは、この図の最上部の左隅に示されている。あるいは、他のシステム情報のメッセージを要求するためのビットパターンの一部（すなわち、８ビット）は、ビットパターン（すなわち、合計４０ビット）の最後（末尾）に位置する。これは、この図の最上部の右隅に示されている。明らかなことに、この図の最上部の左隅及び右隅は、用語「又は」によって示されているように、特定のフォーマットについて二者択一の実施態様を示している。
【００８１】
これら２つの図のうちの１番目の図において、他のシステム情報を要求するためのビットパターンの一部を形成するビットを除く、ビットパターンの残りのビットが、ゼロ値を有することを特定のフォーマットが規定していることも示されていることは言うまでもない。
【００８２】
特定のフォーマットのうちどの特定のフォーマットが使用されるかにかかわらず、ビットパターンは、システム情報要求メッセージ（すなわち、図２におけるＳ０２のｍｓｇ３）に似ているＲＲＣメッセージの情報要素に含まれる。この情報要素は、これら２つの図にも示されているように、システム情報要求メッセージ内の最初の情報要素とすることができ、より好ましくは、システム情報要求メッセージ（すなわち、ｍｓｇ３）内の唯一の情報要素とすることができる。
【００８３】
３ＧＰＰ  ＮＲのＲＲＣ層における現在の規定との適合性の理由で、ビットパターンが４０ビットを有する場合に有利である。これによって、ＲＲＣ接続確立メッセージ（例えば、ｍｓｇ３）に応じて送信される競合解決メッセージ（例えば、ｍｓｇ４）と同じサイズのＭＡＣ制御要素（ＣＥ）を再使用することができる。特に、これは、基地局及び／又は移動局における競合解決メカニズムのために異なる物理的実装を必要とすることを防止する。それにもかかわらず、ビットパターンは、異なるタイプのシステム情報メッセージ（ＳＩ  ｍｓｇ.２〜ＳＩ  ｍｓｇ.９と略される）を求める要求に対応する全てのビットに適応するために、８ビット（又は少なくとも８ビット）というサイズを有するだけでよい。
【００８４】
明瞭にするために、また、混乱を避けるために、他のシステム情報を要求するためのビットパターンを含む情報要素は、移動端末識別子（ＲＲＣではue-identityと呼ばれる）用の情報要素ではない、且つ／又は、ランダム値（ＲＲＣではrandomValueと呼ばれる）用の情報要素ではない。
【００８５】
３ＧＰＰ  ＮＲから一般に知られているように、ビットパターンを含む情報要素は、ＭＡＣ  ＳＤＵにおいて符号化され、これら２つの図の両方の最下部の左隅に示されているように、これは、ＭＡＣ  ＳＤＵの最初（始め）において追加の８ビットの符号化オーバーヘッドをもたらし、ＭＡＣ  ＳＤＵは、ＭＡＣヘッダと共に、ＭＡＣ  ＰＤＵを形成する。そして、移動端末１１０は、このＭＡＣ  ＰＤＵをｍｓｇ３として基地局１６０に送信する。
【００８６】
これに応じて、詳細な実施態様は、これら２つの図の最下部の右隅において、移動端末１１０が、ＭＡＣヘッダ及びＭＡＣ  ＣＥを含む競合解決メッセージｍｓｇ４として、ＭＡＣメッセージを基地局１６０から受信することを示している。このＭＡＣ  ＣＥは、ＭＡＣ  ＣＥの最初（始め）において追加の８ビットの符号化オーバーヘッドを含むものとして又は含まないものとして、示されている。
【００８７】
例として、情報要素は、４０ビットという合計サイズを有するビットパターンを含み、合計４０ビットのうちの８ビットという一部のみが、他のシステム情報を要求するための特定のフォーマットによって規定されていると想定している。そして、競合解決メッセージｍｓｇ４は、４８ビットというサイズを有するＭＡＣ  ＣＥをもたらす同じビットパターン（全体として）、又は、８ビットというサイズを有するＭＡＣ  ＣＥをもたらす、特定のフォーマットによって規定されているビットパターンの同じ一部、のいずれかを含むことができる。
【００８８】
１番目のケースでは、競合解決メッセージの受信の成功／失敗は、競合解決メッセージｍｓｇ４が、システム情報要求メッセージｍｓｇ３に含まれる情報要素で送信されたのと同じビットパターンのみを（すなわち、正確に）含むかどうかをプロセッサ１３０がチェックすることによって、判定される。
【００８９】
２番目のケースでは、競合解決メッセージの受信の成功／失敗は、競合解決メッセージｍｓｇ４が、他のシステム情報を求めるオンデマンドの要求に確認応答するために特に使用される、競合解決メッセージの特別なバージョン（すなわち、短縮バージョン）であるかどうかをプロセッサ１３０がチェックすることによって、判定される。再度、短縮バージョンは、競合解決のために他のコンテキストにおいて使用される従来のＭＡＣ  ＣＥにもはや適合しない。
【００９０】
更に、プロセッサ１３０は、ｍｓｇ４が、システム情報要求メッセージｍｓｇ３に含まれる情報要素で送信されたのと同じ、（他のシステム情報を要求するための特定のフォーマットによって規定されている）ビットパターンの一部のみを含むかどうかをチェックする。
【００９１】
例として、ここでは、情報要素は、合計サイズが８ビット（のみ）であるビットパターンを含み、これらのビットが、他のシステム情報を要求するための特定のフォーマットによって規定されていると想定している。そして、競合解決メッセージｍｓｇ４は、例えば、ここでも４８ビットという大きいサイズに達するように最後にゼロ埋めされている同じビットパターン（全体として）、又は、８ビットというサイズを有するＭＡＣ  ＣＥをもたらす同じビットパターン（のみ）（全体として）、のいずれかを含むことができる。
【００９２】
１番目のケースでは、競合解決メッセージの受信の成功／失敗は、競合解決メッセージｍｓｇ４の一部（すなわち、ゼロ埋めされていないビット）が、システム情報要求メッセージｍｓｇ３に含まれる情報要素で送信されたのと同じビットパターンを含むかどうかをプロセッサ１３０がチェックすることによって、判定される。
【００９３】
２番目のケースでは、競合解決メッセージの受信の成功／失敗は、競合解決メッセージｍｓｇ４が、他のシステム情報を求めるオンデマンドの要求に確認応答するために特に使用される、競合解決メッセージの特別なバージョン（すなわち、短縮バージョン）であるかどうかをプロセッサ１３０がチェックすることによって、判定される。再度、短縮バージョンは、競合解決のために他のコンテキストにおいて使用される従来のＭＡＣ  ＣＥにもはや適合しない。
【００９４】
更に、プロセッサ１３０は、ｍｓｇ４が、他のシステム情報を要求するための特定のフォーマットに適合しているシステム情報要求メッセージｍｓｇ３に含まれる情報要素で送信されたのと同じビットパターンを含むかどうかをチェックする。
【００９５】
（第２のシナリオ）
同様に、図１のブロック図は、図５に示されるメカニズム、すなわち、（制御）シグナリングオーバーヘッドをもたらす結果が、システム機能に影響を及ぼすことなく取り除かれる第２のシナリオ、を説明するために使用することができる。
【００９６】
この場合も、このブロック図のワイヤレス通信システムは、移動端末が、システム情報、特に、サービングセルを有する基地局１６０からオンデマンドでブロードキャストされる他のシステム情報（これは最小限システム情報ではない）を取得することを可能にする。
【００９７】
概して、移動端末１１０のプロセッサ１３０が、他のシステム情報の送信を求める要求を有し、したがって、基地局１６０に対して他のシステム情報の送信をオンデマンドで要求したいと決定するとき（図５におけるステップＳ０１を参照）、複数の状態が存在する。簡潔にするために、上述した例示的な状態を参照する。
【００９８】
プロセッサ１３０が、他のシステム情報の送信をオンデマンドで要求する状態を判別した場合、プロセッサ１３０は、移動端末１１０のトランシーバ１２０がランダムアクセス手順を実行すること（図５におけるステップＳ０２を参照）に進める。
【００９９】
ランダムアクセス手順において、トランシーバ１２０は、まず、ランダムアクセスプリアンブル信号（図５におけるＳ０２のｍｓｇ１を参照）を基地局１６０に送信する。次いで、トランシーバ１２０は、基地局１６０からランダムアクセス応答メッセージ（図５におけるＳ０２のｍｓｇ２を参照）を受信する。その後、トランシーバ１２０は、他のシステム情報を求めるシステム情報要求メッセージ（図５におけるＳ０２のｍｓｇ３を参照）を基地局１６０に送信する。最後に、トランシーバ１２０は、基地局１６０から競合解決メッセージ（図５におけるＳ０２のｍｓｇ４を参照）を受信する。
【０１００】
ここで、上記とは異なり、この第２のシナリオは、競合解決メッセージの受信が失敗した（ｍｓｇ４への稲妻によって示されている）にもかかわらず、ランダムアクセス手順によって規定されるように、移動端末がランダムアクセスプリアンブル信号（ｍｓｇ１）の再送をもって始める（開始する）ことが不要である場合に関する。
【０１０１】
具体的には、受信の失敗は、同じタイプのシステム情報メッセージ（又はシステム情報メッセージの同じタイプのサブセット）に向けられた他のシステム情報を求める競合する要求の結果である可能性があることが認識される。
【０１０２】
例えば、競合送信は、１つの移動端末が、ＳＩ  ｍｓｇ．３を求める要求を成功裏に行わず、異なる第２の移動端末が、ＳＩ  ｍｓｇ．３及びＳＩ  ｍｓｇ．５を求める要求を成功裏に行った場合であっても、検出されることがある。そして、基地局が、ＳＩ  ｍｓｇ．３及びＳＩ  ｍｓｇ．５を求める成功した要求に（のみ）応じるとしても、ランダムアクセス手順によって規定されるように、失敗した移動端末が、システム情報要求を再送すること（ｍｓｇ１で開始する）は不要であろう。
【０１０３】
しかしながら、このことは、ｍｓｇ４とは異なる、追加のソースからのスケジュールされたＳＩメッセージに関する情報をこれが得ることができるかどうかという問題に依存する。
【０１０４】
重要なことに、特定のタイミング（例えば、特定の番号を有する無線フレーム及び／又はサブフレーム中）において、２つの異なる移動端末が、同じタイプのシステム情報メッセージ（又はシステム情報メッセージの同じタイプのサブセット）をｍｓｇ３として要求している可能性が高いことが見いだされた。少なくともこれらの状況では、システム情報要求の再送は、システムの性能に影響を及ぼすことなく取り除くことができる。この場合も、追加のソースからのスケジュールされたＳＩメッセージに関する情報が、失敗した移動端末に提供される必要がある。
【０１０５】
このために、移動端末１１０は、競合解決メッセージｍｓｇ４の受信に失敗した場合（図５における稲妻を参照）、ランダムアクセス手順（図５におけるＳ０２を参照）の一部として、以下を実行する。
【０１０６】
まず、プロセッサ１３０は、ランダムアクセスプリアンブル信号ｍｓｇ１の再送を中断する。換言すれば、再送を中断することにより、失敗した移動端末は、上記の状態のうちの１つが発生したかどうかを判別するための追加の時間を得る。具体的には、プロセッサは、最小限システム情報の次の時間インスタンスまで再送を中断する。
【０１０７】
前のセクションからすでに明らかであるように、最小限システム情報は、特定の周期的な時間間隔で継続的にブロードキャストされ、したがって、オンデマンドの要求に依拠する必要はない。重要なことに、最小限システム情報（具体的には、SystemInformationBlockType1、ＳＩＢ１）は、他のシステム情報のメッセージが現在ブロードキャストされているか又は変更期間の終わりまで有効でないかを示すインジケータを含む。
【０１０８】
本開示のコンテキストにおいて、基地局１６０は、どの他のシステム情報（例えば、どのタイプのシステム情報メッセージ）を、変更の終わりまでブロードキャストするためにスケジュールするかを、最小限システム情報（例えば、ＳＩＢ１）内のこのインジケータによって示すものと想定している。
【０１０９】
この例に戻ると、異なる第２の移動端末が、ＳＩ  ｍｓｇ．３及びＳＩ  ｍｓｇ．５を求める要求を成功裏に行った場合、最小限システム情報（例えば、ＳＩＢ１）内のそれぞれのインジケータは、スケジュールされたＳＩメッセージに関する情報を、その要求を成功裏に行った１つの移動端末ではなく、全ての移動端末に与える。
【０１１０】
この最小限システム情報を受信することによって、全ての移動端末は、他のシステム情報のうちのどれが、送信のためにスケジュールされているかを推測することができる。
【０１１１】
上記に合わせて、再送を中断した後、トランシーバ１２０は、次の時間インスタンスにて、最小限システム情報を受信する（図５におけるｍｓｇ４’を参照）。
【０１１２】
更に、プロセッサ１３０は、受信された最小限システム情報に基づいて、要求された他のシステム情報が、その再送とは無関係に、ブロードキャストを介した送信のためにスケジュールされているかどうかを判定する（図５におけるステップＳ０２’を参照）。このような状況では、ランダムアクセス手順によって規定されるような再送は不要である。
【０１１３】
要求された他のシステム情報が、送信のためにスケジュールされていると判定すると、トランシーバ１２０は、ブロードキャストを介して、オンデマンドで要求された他のシステム情報を含むシステム情報メッセージを受信すること（図５におけるステップＳ０３を参照）に進む。
【０１１４】
まとめると、移動端末１１０は、他のシステム情報を求める要求を成功裏に行わなかったにもかかわらず、最小限システム情報の別個の（追加の）受信動作（図５におけるｍｓｇ４’を参照）に起因して、ランダムアクセス手順によって規定されるような再送を移動端末が省略できる状況を発見することができる。
【０１１５】
したがって、この第２のシナリオによれば、（制御）シグナリングオーバーヘッドをもたらす結果が、システム機能に影響を及ぼすことなく取り除かれる。
【０１１６】
図１の概括的な記載を再度参照すると、３ＧＰＰ  ＮＲ展開シナリオにおける有利な実施態様は、システム情報要求メッセージｍｓｇ３が、無線リソース制御（ＲＲＣ）メッセージであること、好ましくは、４０ビットという合計サイズを有する情報要素を含むＲＲＣメッセージであることを含む。また、有利な実施態様は、競合解決メッセージｍｓｇ４が、媒体アクセス制御（ＭＡＣ）制御要素（ＣＥ）であること、好ましくは、４８ビットという合計サイズを有するＭＡＣ  ＣＥであることを更に含む。これによって、ランダムアクセス手順における既存のフォーマット（例えば、ＲＲＣ接続要求）との互換性を確保することができる。
【０１１７】
また、ＲＲＣ＿ＣＯＮＮＥＣＴＥＤ状態、ＲＲＣ＿ＩＤＬＥ状態、及びＲＲＣ＿ＩＮＡＣＴＩＶＥ状態のうちの１つにある移動端末がシステム情報を取得できることは言うまでもない。
【０１１８】
（第２の側面）
次に、本開示の異なる第２の側面について述べる。この第２の側面は、システム情報取得にも関連する場合であっても、前の説明とは別個のものである。より具体的には、ここでも、システム情報は、最小限システム情報及び他のシステム情報を含む。
【０１１９】
とりわけ、前の説明との違いは、第２の側面が、システム情報を取得する際のフレキシビリティを増大させる目的に関連するということにある。フレキシビリティのこの増大は、遅延の低減、すなわち、スケジュールより前の、オンデマンドで要求された他のシステム情報の受信をもたらし得る、且つ／又は、（制御）シグナリングオーバーヘッドの低減をもたらし得る。いずれにしても、以下の側面は、変更期間の仕様に関連する。
【０１２０】
概して、変更期間は、移動端末がシステム情報を一度だけ取得することが予期される期間を表すものとしてよく理解されている。この変更期間は、例えば、ＲＲＣ＿ＩＤＬＥ状態又はＲＲＣ＿ＩＮＡＣＴＩＶＥ状態にある移動端末の電力消費を保護するために導入される。移動端末が、より頻繁に、ウェイクアップしてシステム情報を取得することが予期される場合、このことは、移動端末の電力消費に悪影響を及ぼすであろう。
【０１２１】
しかしながら、移動端末が、１つの変更期間において、他のシステム情報をオンデマンドで要求しているが、システム制約に起因して、次の変更期間中に、オンデマンドで要求された他のシステム情報を受信するだけであることが要求される状況がある。これは、ワイヤレス通信システム内でのシステム情報取得にかなりの遅延をもたらす。
【０１２２】
この状況では、この側面は、図６の実施態様に示されるように、システムが他のシステム情報をよりフレキシブルにブロードキャストすることを可能にすることによって、フレキシビリティを増大させる。
【０１２３】
図６は、３ＧＰＰ  ＮＲ展開シナリオにおけるこの第２の側面の第１の例において、システム情報取得を実行する２つの移動端末（すなわち、ＵＥ１及びＵＥ２）のタイミング図を示している。この第１の例では、２つの移動端末（すなわち、ＵＥ１及びＵＥ２）とサービングセルを有する基地局とを備えるワイヤレス通信システムが示されている。
【０１２４】
第１の変更期間（変更期間＃１）の開始時には、他のシステム情報（例えば、システム情報メッセージ５（ＳＩ＿５））は、ブロードキャストされない。このことは、最小限システム情報（例えば、システム情報ブロックタイプ１（ＳＩＢ１））内のそれぞれのインジケータが、０という値（「Broadcast = 0」）を有することによって示されている。
【０１２５】
したがって、このような他のシステム情報（例えば、ＳＩ＿５）を求める要求を有する移動端末は、このような他のシステム情報の送信をオンデマンドで要求することに進む必要がある。このことは、第２の移動端末、すなわち、図６に示されているＵＥ２によって実行されるシステム情報取得に関して、更に詳細に説明される。
【０１２６】
この移動端末ＵＥ２は、図６において矢印で示されている時点で、他のシステム情報（例えば、ＳＩ＿５）をオンデマンドで要求する状態が発生したと判別する。簡潔にするために、上述の例示的な状態を参照する。
【０１２７】
オンデマンドで要求する状態を判別することは、移動端末が、最小限システム情報（例えば、ＳＩＢ１）を取得し、この受信した最小限システム情報（例えば、ＳＩＢ１）に基づいてその判別を行うことを含むことは言うまでもない。他のシステム情報（例えば、ＳＩ＿５）がオンデマンドで送信される（「Broadcast = 0」）と移動端末が判別した場合にのみ、それは、実際にランダムアクセス手順で始まる。
【０１２８】
移動端末ＵＥ２は、ランダムアクセスプリアンブルメッセージ（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行する。
【０１２９】
従来の構成では、移動端末は、ブロードキャストを介して、オンデマンドで要求された他のシステム情報（例えば、ＳＩ＿５）を含むシステム情報メッセージを受信するために、次の変更期間（例えば、変更期間＃２）まで待たなければならないであろう。この特定の場合において、この変更期間は、変更されている（新しい）他のシステム情報（例えば、ＳＩ＿５）も伝えるが、これは、第１の例に影響を及ぼさない。
【０１３０】
これとは異なり、この例では、移動端末ＵＥ２は、スケジュールより前に受信することができる。
【０１３１】
このために、移動端末ＵＥ２は、ランダムアクセス手順と同じ現変更期間（例えば、変更期間＃１）内に、最小限システム情報（例えば、ＳＩＢ１）を（再度）再取得するよう構成されている。この再取得された最小限システム情報（例えば、ＳＩＢ１）に基づいて、移動端末は、オンデマンドで要求された他のシステム情報（例えば、ＳＩ＿５）が、次の変更期間の前に送信される（例えば、「Broadcast = 1」）かどうかを判定する。そして、移動端末は、次の変更期間の前に（変更期間＃２の前に）送信されているシステム情報メッセージに含まれるオンデマンドで要求された他のシステム情報（例えば、ＳＩ＿５）を受信する。
【０１３２】
とりわけ、現在の（古い）変更されていない（新しい）他のシステム情報（例えば、ＳＩ＿５）は、この変更期間（例えば、変更期間＃１）においてブロードキャストされる。したがって、移動端末は、次の変更期間において、変更されている（新しい）他のシステム情報（例えば、ＳＩ＿５）を再び受信する必要がある。繰り返しにもかかわらず、この例は、有利なことに、現在の標準化に対する変更期間の整合する実装を可能にする。
【０１３３】
まとめると、この第１の例は、仕様への影響が少なく、ＵＥ２が直ちにＳＩ＿５を取得することを可能にするという利点を提供する。他の移動端末（ＵＥ１）への影響はない。これらの利点の引き換えとして、次の欠点がある：ＳＩ要求オーバーヘッドが、間もなく変更される（新しい）ＳＩについて増大すること；ＵＥ２にとってより多くの電力消費量を実際にもたらすこと（他のシステム情報をオンデマンドで要求した後、２つの連続する変更期間において２つのＳＩＢ１をチェックする必要がある）；及び、より多くのＳＩブロードキャストオーバーヘッド。
【０１３４】
図７は、３ＧＰＰ  ＮＲ展開シナリオにおけるこの第２の側面の第２の例において、システム情報取得を実行する２つの移動端末（すなわち、ＵＥ１及びＵＥ２）のタイミング図を示している。この第２の例では、２つの移動端末（すなわち、ＵＥ１及びＵＥ２）とサービングセルを有する基地局とを備えるワイヤレス通信システムが示されている。
【０１３５】
第１の変更期間（変更期間＃１）の開始時には、他のシステム情報（例えば、システム情報メッセージ５（ＳＩ＿５））は、ブロードキャストされない。このことは、最小限システム情報（例えば、システム情報ブロックタイプ１（ＳＩＢ１））内のそれぞれのインジケータが、０という値（「Broadcast = 0」）を有することによって示されている。
【０１３６】
したがって、他のシステム情報（例えば、ＳＩ＿５）の現バージョンを有する移動端末は、他のシステム情報の送信を再度得ることに進む動機を有しないであろう。しかしながら、これは、移動端末が他のシステム情報（例えば、ＳＩ＿５）の変更（更新）について示されたときに、変化する。このことは、第１の移動端末、すなわち、図７に示されているＵＥ１によって実行されるシステム情報取得に関して、更に詳細に説明される。
【０１３７】
明確にするために、移動端末ＵＥ１は、他のシステム情報（例えば、ＳＩ＿５）の現バージョンをすでに有していることを強調しておく。移動端末ＵＥ１は、上述したように、システム情報を取得することによって、すなわち、まず、他のシステム情報（例えば、ＳＩ＿５）をオンデマンドで要求する状態が発生したかどうかを判別し、次いで、ランダムアクセス手順を実行することによって、同じものを受信していることがある。最後に、移動端末ＵＥ１は、上述したように、オンデマンドで要求された他のシステム情報（例えば、ＳＩ＿５）を受信していることがある。
【０１３８】
次いで、変更（更新）されている他のシステム情報を受信するために、移動端末ＵＥ１は、ページングメッセージ（ＵＥ１に対する番号＃ｉを有するページングオケージョン（ＰＯ）に位置する）を受信する。このページングメッセージは、オンデマンドで要求された他の情報のメッセージの変更（例えば、「SI_5 change = true」）を示す。このページングメッセージは、現変更期間（変更期間＃１）において受信される。
【０１３９】
次いで、移動端末ＵＥ１は、受信したページングメッセージと同じ現変更期間（変更期間＃１）内に、最小限システム情報（例えば、ＳＩＢ１）を再取得する。
【０１４０】
同時に、移動端末ＵＥ２は、図７において矢印で示されている時点で、他のシステム情報（例えば、ＳＩ＿５）をオンデマンドで要求する状態が発生したと判別する。
【０１４１】
オンデマンドで要求する状態を判別することは、移動端末が、最小限システム情報（例えば、ＳＩＢ１）を取得し、この受信した最小限システム情報（例えば、ＳＩＢ１）に基づいてその判別を行うことを含むことは言うまでもない。他のシステム情報（例えば、ＳＩ＿５）がオンデマンドで送信される（「Broadcast = 0」）と移動端末が判別した場合にのみ、それは、実際にランダムアクセス手順で始まる。
【０１４２】
移動端末ＵＥ２は、ランダムアクセスプリアンブルメッセージ（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行する。そして、この例では、基地局は、ＵＥ２から、オンデマンドシステム情報要求を成功裏に受信し、その後、最小限システム情報内の要求された他のシステム情報（例えば、ＳＩ＿５）のインジケータを変更する。
【０１４３】
更に、移動端末ＵＥ１は、再取得された最小限システム情報（例えば、ＳＩＢ１）に基づいて、変更されているオンデマンドの他のシステム情報（例えば、新しいＳＩ＿５）が、ＵＥ２によって送信されたオンデマンドの他のシステム情報の要求に起因して、次の変更期間の前に（変更期間＃２の前に）送信される（例えば、「Broadcast = 1」）かどうかを判定するよう構成されている。
【０１４４】
最後に、移動端末ＵＥ１及びＵＥ２の両方が、次の変更期間の前に（変更期間＃２の前に）送信されているシステム情報メッセージに含まれる変更されているオンデマンドの他のシステム情報（例えば、ＳＩ＿５）を受信する。
【０１４５】
まとめると、この第２の例は、ＵＥ１及びＵＥ２の両方が、更新されているＳＩ＿５を直ちに取得することを可能にし、その結果、ＵＥ２にとって電力消費量がより少なくなる（ＳＩ＿５を１回取得するだけでよい）という利点を提供する。これらの利点の引き換えとして、次の欠点がある：異なるＵＥは、同じ変更期間において、異なる他のシステム情報（例えば、ＳＩ＿５）に基づいて動作し得る；より多くのＳＩブロードキャストオーバーヘッド；ＵＥ１にとってより多くの電力消費量；仕様へのより多くの影響。
【０１４６】
図８は、３ＧＰＰ  ＮＲ展開シナリオにおけるこの第２の側面の第３の例において、システム情報取得を実行する２つの移動端末（すなわち、ＵＥ１及びＵＥ２）のタイミング図を示している。この第３の例では、２つの移動端末（すなわち、ＵＥ１及びＵＥ２）とサービングセルを有する基地局とを備えるワイヤレス通信システムが示されている。
【０１４７】
第１の変更期間（変更期間＃１）の開始時には、他のシステム情報（例えば、システム情報メッセージ５（ＳＩ＿５））は、ブロードキャストされない。このことは、最小限システム情報（例えば、システム情報ブロックタイプ１（ＳＩＢ１））内のそれぞれのインジケータが、０という値（「Broadcast = 0」）を有することによって示されている。
【０１４８】
したがって、このような他のシステム情報（例えば、ＳＩ＿５）を求める要求を有する移動端末は、このような他のシステム情報の送信をオンデマンドで要求することに進む必要があるであろう。代替的な構成が、第２の移動端末、すなわち、図８に示されているＵＥ２によって実行されるシステム情報取得に関して、更に詳細に説明される。
【０１４９】
具体的には、以下において、移動端末ＵＥ２は、前述したように、現変更期間の終わりまで、以下の手順が失敗であると判定された場合にのみ、ランダムアクセス手順を実行すると想定している。
【０１５０】
再度、ランダムアクセス手順を実行する前に、移動端末ＵＥ２は、現変更期間（変更期間＃１）において、オンデマンドで要求された他のシステム情報（例えば、ＳＩ＿５）の変更を示す、異なる移動端末（例えば、ＵＥ１）に対するページングメッセージ（任意のＵＥに対する番号＃ｋを有するページングオケージョン（ＰＯ）に位置する）を受信する。
【０１５１】
次いで、移動端末ＵＥ２は、異なる移動端末（例えば、ＵＥ１）に対するページングメッセージ（例えば、ＰＯ＃ｋに位置する）に基づいて、次の変更期間（変更期間＃２）において、オンデマンドで要求された他のシステム情報が送信される（すなわち、「SI_5 change = true」）かどうかを判定する。
【０１５２】
最後に、移動端末ＵＥ２は、ランダムアクセス手順の実行をスキップし、次いで、移動端末ＵＥ２は、次の変更期間（変更期間＃２）において送信されているシステム情報メッセージに含まれるオンデマンドで要求された他のシステム情報（例えば、ＳＩ＿５）を受信する。
【０１５３】
まとめると、この第３の例は、オンデマンドＳＩ要求の回数を低減し、それによって、ＳＩブロードキャストオーバーヘッドが低減され、更に、仕様への影響が最小限に抑えられるという利点を提供する。これらの利点の引き換えとして、次の欠点がある：欠落したＳＩを取得するためのより多くのレイテンシ。
【０１５４】
本開示は、ソフトウェアによって、ハードウェアによって、又はハードウェアと協働するソフトウェアによって、実現可能である。上述した各実施形態の説明において使用されている各機能ブロックは、その一部又は全てを、集積回路等のＬＳＩによって実現可能であり、各実施形態において説明された各プロセスは、その一部又は全てを、同じＬＳＩ又はＬＳＩの組み合わせによって制御可能である。ＬＳＩは、チップとして個別に形成可能である、又は、機能ブロックの一部又は全てを含むように１つのチップを形成することができる。ＬＳＩは、自身に結合されたデータ入出力部を含むことができる。ＬＳＩは、ここでは、集積度の違いに応じて、ＩＣ、システムＬＳＩ、スーパーＬＳＩ、又はウルトラＬＳＩと称されることがある。
【０１５５】
しかしながら、集積回路を実現する技術は、ＬＳＩに限定されるものではなく、専用回路、汎用プロセッサ、又は専用プロセッサを使用することによって実現可能である。更に、ＬＳＩの製造後にプログラムすることができるＦＰＧＡ（フィールドプログラマブルゲートアレイ）や、ＬＳＩ内部に配置されている回路セルの接続及び設定を再設定できるリコンフィギャラブル・プロセッサを使用することもできる。本開示は、デジタル処理又はアナログ処理として実現可能である。半導体技術又は別の派生技術の進歩の結果として、ＬＳＩが将来の集積回路技術に置き換わる場合、その将来の集積回路技術を使用して機能ブロックを集積化することができる。バイオテクノロジを適用することもできる。
【０１５６】
第１の態様に従うと、サービングセルを有するよう構成されている少なくとも１つの基地局を備えるワイヤレス通信システムにおいて、システム情報の取得を実行するための移動端末が開示される。システム情報は、最小限システム情報及び他のシステム情報を含む。
移動端末は、プロセッサ及びトランシーバを備える。これにより、移動端末は、他のシステム情報の送信をオンデマンドで要求する状態を判別し、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行し、ブロードキャストを介して、オンデマンドで要求された他のシステム情報を含むシステム情報メッセージを受信する、よう構成されている。
システム情報要求メッセージ（ｍｓｇ３）は、他のシステム情報を要求するためのビットパターンの少なくとも一部を有する特定のフォーマットに適合しているこのビットパターンを有する情報要素を含み、競合解決メッセージ（ｍｓｇ４）は、ランダムアクセス手順中の衝突を検出するための上記ビットパターンと同じビットパターン又は上記ビットパターンの同じ上記一部を含む。
【０１５７】
第１の態様と組み合わせることができる第２の態様に従うと、情報要素は、システム情報要求メッセージ（ｍｓｇ３）内の最初の情報要素である。
【０１５８】
第１の態様又は第２の態様と組み合わせることができる第３の態様に従うと、情報要素は、システム情報要求メッセージ（ｍｓｇ３）内の唯一の情報要素である。
【０１５９】
第１の態様〜第３の態様と組み合わせることができる第４の態様に従うと、情報要素は、移動端末識別子情報要素ではない、且つ／又は、ランダム値情報要素ではない。
【０１６０】
第１の態様〜第４の態様と組み合わせることができる第５の態様に従うと、特定のフォーマットに適合しているビットパターンを有する情報要素は、少なくとも８ビットを含み、好ましくは４０ビットを含む。
【０１６１】
第１の態様〜第５の態様と組み合わせることができる第６の態様に従うと、特定のフォーマットは、情報要素のビットパターンの一部について、異なるタイプのシステム情報メッセージを求める要求との対応を規定している。
【０１６２】
第６の態様と組み合わせることができる第７の態様に従うと、情報要素のビットパターンの一部は８ビットであり、８ビットの各々は、異なるタイプのシステム情報メッセージを求める要求に対応している。
【０１６３】
第６の態様又は第７の態様と組み合わせることができる第８の態様に従うと、特定のフォーマットは、好ましくは８ビットであるビットパターンの一部が、ビットパターンにおける始め又は終わりに位置することを規定している。
【０１６４】
第６の態様〜第８の態様と組み合わせることができる第９の態様に従うと、特定のフォーマットは、ビットパターンの一部を除く、情報要素のビットパターンにおける残りの全てのビットが、ゼロ値を有することを規定している。
【０１６５】
第１の態様〜第９の態様と組み合わせることができる第１０の態様に従うと、移動端末は、競合解決メッセージ（ｍｓｇ４）内のビットパターンに応じて、オンデマンドで要求された他のシステム情報を含むシステム情報メッセージを受信することを開始する。
【０１６６】
第１１の態様に従うと、サービングセルを有するよう構成されている少なくとも１つの基地局を備えるワイヤレス通信システムにおいて、システム情報の取得を実行するための移動端末が開示される。システム情報は、最小限システム情報及び他のシステム情報を含む。
移動端末は、他のシステム情報の送信をオンデマンドで要求する状態を判別し、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行し、ブロードキャストを介して、オンデマンドで要求された他のシステム情報を含むシステム情報メッセージを受信する、よう構成されているプロセッサ及びトランシーバを備える。
競合解決メッセージ（ｍｓｇ４）の受信に失敗した場合、移動端末がランダムアクセス手順を実行することは、最小限システム情報の次の時間インスタンスまでランダムアクセスプリアンブル信号（ｍｓｇ１）の再送を中断することと、次の時間インスタンスにて、最小限システム情報を受信することと、受信された最小限システム情報に基づいて、要求された他のシステム情報が、ランダムアクセスプリアンブル信号（ｍｓｇ１）の再送とは無関係に、ブロードキャストを介した送信のためにスケジュールされているかどうかを判定することと、を含む。
【０１６７】
第１の態様〜第１１の態様と組み合わせることができる第１２の態様に従うと、競合解決メッセージ（ｍｓｇ４）の受信の成功／失敗は、
競合解決メッセージ（ｍｓｇ４）が、他のシステム情報を要求するための特定のフォーマットに適合しているシステム情報要求メッセージ（ｍｓｇ３）に含まれる情報要素で送信されたのと同じビットパターンのみを含むかどうかをチェックすることと、
競合解決メッセージ（ｍｓｇ４）が、他のシステム情報を求めるオンデマンドの要求に確認応答するために使用される、競合解決メッセージの特別なバージョンであるかどうかと、競合解決メッセージ（ｍｓｇ４）が、システム情報要求メッセージ（ｍｓｇ３）に含まれる情報要素で送信されたのと同じ、ビットパターンの一部のみを含むかどうかと、をチェックすることと、
競合解決メッセージ（ｍｓｇ４）の一部が、他のシステム情報を要求するための特定のフォーマットに適合しているシステム情報要求メッセージ（ｍｓｇ３）に含まれる情報要素で送信されたのと同じビットパターンを含むかどうかをチェックすることと、
競合解決メッセージ（ｍｓｇ４）が、他のシステム情報を求めるオンデマンドの要求に確認応答するために使用される、競合解決メッセージの特別なバージョンであるかどうかと、競合解決メッセージ（ｍｓｇ４）が、他のシステム情報を要求するための特定のフォーマットに適合しているシステム情報要求メッセージ（ｍｓｇ３）に含まれる情報要素で送信されたのと同じビットパターンを含むかどうかと、をチェックすることと、
のうちの少なくとも１つによって判定される。
【０１６８】
第１の態様〜第１２の態様と組み合わせることができる第１３の態様に従うと、システム情報要求メッセージ（ｍｓｇ３）は、４０ビットという合計サイズを有する情報要素を好ましくは含む無線リソース制御（ＲＲＣ）メッセージである。
【０１６９】
第１の態様〜第１３の態様と組み合わせることができる第１４の態様に従うと、競合解決メッセージ（ｍｓｇ４）は、４８ビットという合計サイズを好ましくは有する媒体アクセス制御（ＭＡＣ）制御要素（ＣＥ）である。
【０１７０】
第１の態様〜第１４の態様と組み合わせることができる第１５の態様に従うと、システム情報の取得を実行するために、移動端末は、ＲＲＣ＿ＣＯＮＮＥＣＴＥＤ状態、ＲＲＣ＿ＩＤＬＥ状態、及びＲＲＣ＿ＩＮＡＣＴＩＶＥ状態のうちの１つにある。
【０１７１】
第１の態様〜第１５の態様と組み合わせることができる第１６の態様に従うと、他のシステム情報の送信をオンデマンドで要求する状態は、サービングセルにおける電源投入イベント又はサービングセルに対するセル選択／再選択イベントを検出することと、サービングセルについてのカバレッジロスイベントから回復することと、他のシステム情報についての有効性タイマが満了したと判定することと、のうちの少なくとも１つを含む。
【０１７２】
第１７の態様に従うと、移動端末が、サービングセルを有するよう構成されている基地局と共に、システム情報の取得を実行することを可能にするワイヤレス通信システムにおける基地局が開示される。システム情報は、最小限システム情報及び他のシステム情報を含む。
基地局は、プロセッサ及びトランシーバを備える。これにより、基地局は、ランダムアクセスプリアンブル信号（ｍｓｇ１）を受信することと、ランダムアクセス応答メッセージ（ｍｓｇ２）を送信することと、他のシステム情報を求めるシステム情報要求メッセージ（ｍｓｇ３）を受信することと、競合解決メッセージ（ｍｓｇ４）を送信することと、を含むランダムアクセス手順を実行し、ブロードキャストを介して、オンデマンドで要求された他のシステム情報を含むシステム情報メッセージを送信する、よう構成されている。
システム情報要求メッセージ（ｍｓｇ３）は、他のシステム情報を要求するためのビットパターンの少なくとも一部を有する特定のフォーマットに適合しているこのビットパターンを有する情報要素を含み、競合解決メッセージ（ｍｓｇ４）は、ランダムアクセス手順中の衝突を検出するための上記ビットパターンと同じビットパターン又は上記ビットパターンの同じ上記一部を含む。
【０１７３】
第１７の態様と組み合わせることができる第１８の態様に従うと、情報要素は、システム情報要求メッセージ（ｍｓｇ３）内の最初の情報要素である。
【０１７４】
第１７の態様又は第１８の態様と組み合わせることができる第１９の態様に従うと、情報要素は、システム情報要求メッセージ（ｍｓｇ３）内の唯一の情報要素である。
【０１７５】
第１７の態様〜第１９の態様と組み合わせることができる第２０の態様に従うと、情報要素は、移動端末識別子情報要素ではない、且つ／又は、ランダム値情報要素ではない。
【０１７６】
第１７の態様〜第２０の態様と組み合わせることができる第２１の態様に従うと、特定のフォーマットに適合しているビットパターンを有する情報要素は、少なくとも８ビットを含み、好ましくは４０ビットを含む。
【０１７７】
第１７の態様〜第２１の態様と組み合わせることができる第２２の態様に従うと、特定のフォーマットは、情報要素のビットパターンにおけるビットのサブセットについて、異なるタイプのシステム情報メッセージを求める要求との対応を規定している。
【０１７８】
第２２の態様と組み合わせることができる第２３の態様に従うと、情報要素のビットパターンにおけるビットのサブセットは８ビットであり、８ビットの各々は、異なるタイプのシステム情報メッセージを求める要求に対応している。
【０１７９】
第２２の態様又は第２３の態様と組み合わせることができる第２４の態様に従うと、特定のフォーマットは、好ましくは８ビットであるビットのサブセットが、ビットパターンにおける始め又は終わりに位置することを規定している。
【０１８０】
第２２の態様〜第２４の態様と組み合わせることができる第２５の態様に従うと、特定のフォーマットは、ビットのサブセットを除く、情報要素のビットパターンにおける残りの全てのビットが、ゼロ値を有することを規定している。
【０１８１】
第１７の態様〜第２５の態様と組み合わせることができる第２６の態様に従うと、基地局は、競合解決メッセージ（ｍｓｇ４）内のビットパターンに応じて、オンデマンドで要求された他のシステム情報を含むシステム情報メッセージを送信することを開始する。
【０１８２】
第２７の態様に従うと、サービングセルを有するよう構成されている少なくとも１つの基地局を備えるワイヤレス通信システムにおいて、移動端末によって、システム情報の取得を実行するための方法が開示される。システム情報は、最小限システム情報及び他のシステム情報を含む。
方法は、他のシステム情報の送信をオンデマンドで要求する状態を判別するステップと、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行するステップと、ブロードキャストを介して、オンデマンドで要求された他のシステム情報を含むシステム情報メッセージを受信するステップと、を含む。
システム情報要求メッセージ（ｍｓｇ３）は、他のシステム情報を要求するためのビットパターンの少なくとも一部を有する特定のフォーマットに適合しているこのビットパターンを有する情報要素を含み、競合解決メッセージ（ｍｓｇ４）は、ランダムアクセス手順中の衝突を検出するための上記ビットパターンと同じビットパターン又は上記ビットパターンの同じ上記一部を含む。
【０１８３】
第２８の態様に従うと、サービングセルを有するよう構成されている少なくとも１つの基地局を備えるワイヤレス通信システムにおいて、移動端末によって、システム情報の取得を実行するための方法が開示される。システム情報は、最小限システム情報及び他のシステム情報を含む。
方法は、他のシステム情報の送信をオンデマンドで要求する状態を判別するステップと、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行するステップと、ブロードキャストを介して、オンデマンドで要求された他のシステム情報を含むシステム情報メッセージを受信するステップと、を含む。
競合解決メッセージ（ｍｓｇ４）の受信に失敗した場合、ランダムアクセス手順を実行するステップは、最小限システム情報の次の時間インスタンスまでランダムアクセスプリアンブル信号（ｍｓｇ１）の再送を中断することと、次の時間インスタンスにて、最小限システム情報を受信することと、受信された最小限システム情報に基づいて、要求された他のシステム情報が、ランダムアクセスプリアンブル信号（ｍｓｇ１）の再送とは無関係に、ブロードキャストを介した送信のためにスケジュールされているかどうかを判定することと、を含む。
【０１８４】
第２９の態様に従うと、ワイヤレス通信システムにおいて、システム情報の取得を、サービングセルを有するよう構成されている基地局と共に移動端末が実行することを可能にするための、基地局についての方法が開示される。システム情報は、最小限システム情報及び他のシステム情報を含む。
方法は、ランダムアクセスプリアンブル信号（ｍｓｇ１）を受信することと、ランダムアクセス応答メッセージ（ｍｓｇ２）を送信することと、他のシステム情報を求めるシステム情報要求メッセージ（ｍｓｇ３）を受信することと、競合解決メッセージ（ｍｓｇ４）を送信することと、を含むランダムアクセス手順を実行するステップと、ブロードキャストを介して、オンデマンドで要求された他のシステム情報を含むシステム情報メッセージを送信するステップと、を含む。
システム情報要求メッセージ（ｍｓｇ３）は、他のシステム情報を要求するためのビットパターンの少なくとも一部を有する特定のフォーマットに適合しているこのビットパターンを有する情報要素を含み、競合解決メッセージ（ｍｓｇ４）は、ランダムアクセス手順中の衝突を検出するための上記ビットパターンと同じビットパターン又は上記ビットパターンの同じ上記一部を含む。
【０１８５】
第３０の態様に従うと、サービングセルを有するよう構成されている少なくとも１つの基地局を備えるワイヤレス通信システムにおいて、システム情報の取得を実行するための移動端末が開示される。システム情報は、最小限システム情報及び他のシステム情報を含む。
移動端末は、プロセッサ及びトランシーバを備える。これにより、移動端末は、他のシステム情報の送信をオンデマンドで要求する状態を判別し、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行し、ブロードキャストを介して、オンデマンドで要求された他のシステム情報を含むシステム情報メッセージを受信する、よう構成されている。
特に、移動端末は、オンデマンドで要求する状態を判別することの一部として、最小限システム情報を取得し、要求された他のシステム情報がオンデマンドで送信されると判別する、よう構成されている。
更に、移動端末は、システム情報メッセージを受信することの一部として、ランダムアクセス手順と同じ現変更期間内に、最小限システム情報を再取得し、再取得された最小限システム情報に基づいて、オンデマンドで要求された他のシステム情報が、次の変更期間の前に送信されるかどうかを判定し、次の変更期間の前に送信されているシステム情報メッセージに含まれるオンデマンドで要求された他のシステム情報を受信する、よう構成されている。
【０１８６】
第３１の態様に従うと、サービングセルを有するよう構成されている少なくとも１つの基地局を備えるワイヤレス通信システムにおいて、システム情報の取得を実行するための移動端末が開示される。システム情報は、最小限システム情報及び他のシステム情報を含む。
移動端末は、プロセッサ及びトランシーバを備える。これにより、移動端末は、他のシステム情報の送信をオンデマンドで要求する状態を判別し、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行し、ブロードキャストを介して、オンデマンドで要求された他のシステム情報を含むシステム情報メッセージを受信する、よう構成されている。
特に、移動端末は、システム情報メッセージを受信することの一部として、現変更期間において、オンデマンドで要求された他のシステム情報の変更を示すページングメッセージを受信し、受信されたページングメッセージと同じ現変更期間内に、最小限システム情報を再取得し、再取得された最小限システム情報に基づいて、変更されているオンデマンドの他のシステム情報が、次の変更期間の前に送信されるかどうかを判定し、次の変更期間の前に送信されているシステム情報メッセージに含まれる変更されているオンデマンドの他のシステム情報を受信する、よう構成されている。
【０１８７】
第３２の態様に従うと、サービングセルを有するよう構成されている少なくとも１つの基地局を備えるワイヤレス通信システムにおいて、システム情報の取得を実行するための移動端末が開示される。システム情報は、最小限システム情報及び他のシステム情報を含む。
移動端末は、プロセッサ及びトランシーバを備える。これにより、移動端末は、他のシステム情報の送信をオンデマンドで要求する状態を判別し、ランダムアクセスプリアンブル信号（ｍｓｇ１）を送信することと、ランダムアクセス応答メッセージ（ｍｓｇ２）を受信することと、他のシステム情報を求めるシステム情報要求メッセージ（ｍｓｇ３）を送信することと、競合解決メッセージ（ｍｓｇ４）を受信することと、を含むランダムアクセス手順を実行し、ブロードキャストを介して、オンデマンドで要求された他のシステム情報を含むシステム情報メッセージを受信する、よう構成されている。
特に、移動端末は、ランダムアクセス手順を実行する前に、現変更期間において、オンデマンドで要求された他のシステム情報の変更を示す、異なる移動端末に対するページングメッセージを受信し、異なる移動端末に対するページングメッセージに基づいて、次の変更期間において、オンデマンドで要求された他のシステム情報が送信されるかどうかを判定し、ランダムアクセス手順の実行をスキップし、次の変更期間において送信されているシステム情報メッセージに含まれるオンデマンドで要求された他のシステム情報を受信する、よう構成されている。
【図１】
2021523600.tif 000003
【図２】
2021523600.tif 000004
【図３】
2021523600.tif 000005
【図４】
2021523600.tif 000006
【図５】
2021523600.tif 000007
【図６】
2021523600.tif 000008
【図７】
2021523600.tif 000009
【図８】
2021523600.tif 000010
【国際調査報告】
2021523600.tif 000011
2021523600.tif 000012
2021523600.tif 000013